(57)【特許請求の範囲】
【請求項１】
冷媒の運転圧力が予め定められた目標圧力となるように、圧縮機の回転数を制御する圧力制御手段と、
前記圧力制御手段による制御の後に、前記圧縮機の効率をそれまでに比べて向上させる運転点となるように、冷媒の高圧と低圧との比である圧力比を制御する圧力比制御手段と、
を備え、
冷房時には、前記圧力制御手段による冷媒の低圧の制御の後に前記圧力比制御手段が冷媒の高圧を制御し、暖房時には、前記圧力制御手段による冷媒の高圧の制御の後に前記圧力比制御手段が冷媒の低圧を制御する空調システムの制御装置。
【請求項２】
前記圧力制御手段は、前記運転圧力が前記目標圧力となるように前記圧縮機の回転数を下げる請求項１記載の空調システムの制御装置。
【請求項３】
前記圧力比制御手段は、前記圧縮機の回転数を変えることなく、前記圧力比を制御する請求項１又は請求項２記載の空調システムの制御装置。
【請求項４】
前記圧力比制御手段は、室外機に設けられるファンの回転数を制御することによって前記圧力比を制御する請求項１から請求項３の何れか１項記載の空調システムの制御装置。
【請求項５】
前記圧力比制御手段は、室外機に設けられる膨張弁の開度を制御することによって前記圧力比を制御する請求項１から請求項４の何れか１項記載の空調システムの制御装置。
【請求項６】
室外機と、
室内機と、
請求項１から請求項５の何れか１項記載の制御装置と、
を備える空調システム。
【請求項７】
コンピュータを、
冷媒の運転圧力が予め定められた目標圧力となるように、圧縮機の回転数を制御する圧力制御手段と、
前記圧力制御手段による制御の後に、前記圧縮機の効率をそれまでに比べて向上させる運転点となるように、冷媒の高圧と低圧との比である圧力比を制御する圧力比制御手段と、
して機能させ、
冷房時には、前記圧力制御手段による冷媒の低圧の制御の後に前記圧力比制御手段が冷媒の高圧を制御し、暖房時には、前記圧力制御手段による冷媒の高圧の制御の後に前記圧力比制御手段が冷媒の低圧を制御するための空調システムの制御プログラム。
【請求項８】
冷媒の運転圧力が予め定められた目標圧力となるように、圧縮機の回転数を制御する第１工程と、
前記第１工程による制御の後に、前記圧縮機の効率をそれまでに比べて向上させる運転点となるように、冷媒の高圧と低圧との比である圧力比を制御する第２工程と、
を有し、
冷房時には、前記第１工程による冷媒の低圧の制御の後に前記第２工程により冷媒の高圧が制御され、暖房時には、前記第１工程による冷媒の高圧の制御の後に前記第２工程により冷媒の低圧が制御される空調システムの制御方法。
【発明の詳細な説明】
【技術分野】
【０００１】
本発明は、空調システムの制御装置、空調システム、空調システムの制御プログラム、及び空調システムの制御方法に関するものである。
【背景技術】
【０００２】
例えば、１台の室外機に複数台の室内機が接続される空調システムである所謂、マルチ型空調システムでは、室内負荷に関わらず冷媒の運転圧力を一定にし、複数の室内機におけるそれぞれの負荷に応じた必要能力を確保するような制御（以下「圧力一定制御」という。）が行われているものがある。
【０００３】
ここで、特許文献１には、圧縮機運転効率を低下させずに必要な運転容量に応じた空調能力を供給する冷凍サイクルとして、膨張弁及び室内熱交換器との間に一端が接続され、他端が圧縮機に接続されたインジェクション回路を備え、圧縮機の回転数が圧縮機性能曲線における下がり勾配の回転数範囲内では、圧縮機にガス冷媒をインジェクションし、圧縮機の回転数が圧縮機性能曲線における上がり勾配の回転数範囲内では、圧縮機にガス冷媒をインジェクションさせない空調システムが開示されている。
【０００４】
さらに、圧力一定制御に対して、室内負荷の低下に伴い目標圧力を調整する制御（以下「省エネ制御」という。）が行われる場合もある。この室内負荷が低下する場合とは、室内吸込み温度が設定温度に近づいた場合等である。そして、目標圧力の調整は圧縮機の回転数を制御することで行われ、例えば、冷房時には目標低圧圧力を上げ、暖房時には目標高圧圧力を下げることで必要能力を抑制する。これにより、圧縮機の消費電力の低減が実現される。
【先行技術文献】
【特許文献】
【０００５】
【特許文献１】特開２０１３−１１９９５７号公報
【発明の概要】
【発明が解決しようとする課題】
【０００６】
しかしながら、特許文献１に開示されている空調システムでは、インジェクション回路を必要とするため、冷媒回路の構造が複雑化する。
また、省エネ制御では、目標圧力を調整することによって、圧縮機にとって効率の良い運転点からずれた運転点で圧縮機を運転することとなる場合がある。
【０００７】
本発明は、このような事情に鑑みてなされたものであって、圧縮機の消費電力を低減し、かつ圧縮機をより効率良く運転可能とする、空調システムの制御装置、空調システム、空調システムの制御プログラム、及び空調システムの制御方法を提供することを目的とする。
【課題を解決するための手段】
【０００８】
上記課題を解決するために、本発明の空調システムの制御装置、空調システム、空調システムの制御プログラム、及び空調システムの制御方法は以下の手段を採用する。
【０００９】
本発明の第一態様に係る空調システムの制御装置は、冷媒の運転圧力が予め定められた目標圧力となるように、圧縮機の回転数を制御する圧力制御手段と、前記圧力制御手段による制御の後に、前記圧縮機の効率をそれまでに比べて向上させる運転点となるように、冷媒の高圧と低圧との比である圧力比を制御する圧力比制御手段と、を備え、冷房時には、前記圧力制御手段による冷媒の低圧の制御の後に前記圧力比制御手段が冷媒の高圧を制御し、暖房時には、前記圧力制御手段による冷媒の高圧の制御の後に前記圧力比制御手段が冷媒の低圧を制御する。
【００１０】
本構成に係る空調システムの制御装置は、例えば、室内負荷に関わらず冷媒の運転圧力を一定とする制御を行う。
【００１１】
そして、圧力制御手段によって、冷媒の運転圧力を予め定められた目標圧力となるように、圧縮機の回転数が制御される。これにより、消費電力の低減が実現される。
しかしながら、圧力制御手段による制御によって、圧縮機にとって効率の良い運転点からずれた運転点で圧縮機を運転することとなる場合がある。
【００１２】
そこで、圧力制御手段による制御の後に、圧力比制御手段によって、圧縮機の効率をそれまでに比べて向上させる運転点となるように、冷媒の高圧と低圧との比である圧力比が制御される。
【００１３】
これにより、本構成は、圧縮機の消費電力を低減し、かつ圧縮機をより効率良く運転可能とする。
【００１４】
上記第一態様では、前記圧力制御手段が、前記運転圧力が前記目標圧力となるように前記圧縮機の回転数を下げてもよい。
【００１５】
本構成によれば、空調システムの能力が抑制され、空調システムの消費電力がより低減する。
【００１６】
上記第一態様では、前記圧力比制御手段が、前記圧縮機の回転数を変えることなく、前記圧力比を制御してもよい。
【００１７】
本構成によれば、圧縮機の回転数を変化させない、すなわち、圧縮機に対する制御を行うことなく圧力比を制御することとなり、圧縮機の運転点を所望の値に変化させやすい。
【００１８】
上記第一態様では、前記圧力比制御手段が、室外機に設けられるファンの回転数を制御することによって前記圧力比を制御してもよい。
【００１９】
本構成によれば、簡易に圧縮機の運転点を所望の値に変化させることができる。
【００２０】
上記第一態様では、前記圧力比制御手段が、室外機に設けられる膨張弁の開度を制御することによって前記圧力比を制御してもよい。
【００２１】
本構成によれば、簡易に圧縮機の運転点を所望の値に変化させることができる。
【００２２】
本発明の第二態様に係る空調システムは、室外機と、室内機と、上記記載の制御装置と、を備える。
【００２３】
本発明の第三態様に係る空調システムの制御プログラムは、コンピュータを、冷媒の運転圧力が予め定められた目標圧力となるように、圧縮機の回転数を制御する圧力制御手段と、前記圧力制御手段による制御の後に、前記圧縮機の効率をそれまでに比べて向上させる運転点となるように、冷媒の高圧と低圧との比である圧力比を制御する圧力比制御手段と、して機能させ、冷房時には、前記圧力制御手段による冷媒の低圧の制御の後に前記圧力比制御手段が冷媒の高圧を制御し、暖房時には、前記圧力制御手段による冷媒の高圧の制御の後に前記圧力比制御手段が冷媒の低圧を制御する。
【００２４】
本発明の第四態様に係る空調システムの制御方法は、冷媒の運転圧力が予め定められた目標圧力となるように、圧縮機の回転数を制御する第１工程と、前記第１工程による制御の後に、前記圧縮機の効率をそれまでに比べて向上させる運転点となるように、冷媒の高圧と低圧との比である圧力比を制御する第２工程と、を有し、冷房時には、前記第１工程による冷媒の低圧の制御の後に前記第２工程により冷媒の高圧が制御され、暖房時には、前記第１工程による冷媒の高圧の制御の後に前記第２工程により冷媒の低圧が制御される。
【発明の効果】
【００２５】
本発明によれば、消圧縮機の消費電力を低減し、かつ圧縮機をより効率良く運転可できる、という優れた効果を有する。
【図面の簡単な説明】
【００２６】
【図１】本発明の実施形態に係るマルチ形空調システムの冷媒回路図である。
【図２】本発明の実施形態に係る空調機制御装置の電気的構成を示すブロック図である。
【図３】本発明の実施形態に係る圧縮機の効率マップである。
【図４】本発明の実施形態に係る高効率化制御処理の流れを示すフローチャートである。
【図５】本発明の実施形態に係る圧縮機の効率マップである。
【発明を実施するための形態】
【００２７】
以下に、本発明に係る空調システムの制御装置、空調システム、空調システムの制御プログラム、及び空調システムの制御方法の一実施形態について、図面を参照して説明する。
【００２８】
図１は、本発明の実施形態に係る１台の室外機に複数台の室内機が接続されるマルチ形空調システムの冷媒回路図が示されている。
マルチ形空調システム１は、１台の室外機２に、複数台の室内機３Ａ，３Ｂが並列に接続されたものである。複数台の室内機３Ａ，３Ｂは、室外機２に接続されているガス側配管４と液側配管５との間に分岐器６を介して互いに並列に接続されている。
【００２９】
室外機２は、冷媒を圧縮するインバータ駆動の圧縮機１０と、冷媒の循環方向を切換える四方切換弁１２と、冷媒と外気とを熱交換させる室外熱交換器１３と、室外熱交換器１３と一体的に構成されている過冷却コイル１４と、室外膨張弁（ＥＥＶＨ）１５と、液冷媒を貯留するレシーバ１６と、液冷媒に過冷却を与える過冷却熱交換器１７と、過冷却熱交換器１７に分流される冷媒量を制御する過冷却用膨張弁（ＥＥＶＳＣ）１８と、圧縮機１０に吸入される冷媒ガスから液分を分離し、ガス分のみを圧縮機１０側に吸入させるアキュームレータ１９と、ガス側操作弁２０と、液側操作弁２１とを備えている。
【００３０】
室外機２側の上記各機器は、冷媒配管２２を介して順次接続され、公知の室外側冷媒回路２３を構成している。また、室外機２には、室外熱交換器１３に対して外気を送風する室外ファン２４が設けられている。
【００３１】
ガス側配管４及び液側配管５は、室外機２のガス側操作弁２０及び液側操作弁２１に接続される冷媒配管であり、現場での据え付け施工時に、室外機２とそれに接続される複数台の室内機３Ａ，３Ｂとの間の距離に応じて、その配管長が適宜設定されるようになっている。ガス側配管４及び液側配管５の途中には、複数の分岐器６が設けられ、該分岐器６を介して適宜台数の室内機３Ａ，３Ｂが接続されている。これによって、密閉された１系統の冷凍サイクル（冷媒回路）７が構成されている。
【００３２】
室内機３Ａ，３Ｂは、室内空気を冷媒と熱交換させて冷却又は加熱し、室内の空調に供する室内熱交換器３０と、室内膨張弁（ＥＥＶＣ）３１と、室内熱交換器３０を介して室内空気を循環させる室内ファン３２と、室内コントローラ３３とを備えており、室内側の分岐ガス側配管４Ａ，４Ｂ及び分岐液側配管５Ａ，５Ｂを介して分岐器６に接続されている。
【００３３】
上記のマルチ形空調システム１において、冷房運転は、以下のように行われる。
圧縮機１０で圧縮され、吐出された高温高圧の冷媒ガスは、四方切換弁１２により室外熱交換器１３側に循環され、室外熱交換器１３で室外ファン２４により送風される外気と熱交換されて凝縮液化される。この液冷媒は、過冷却コイル１４で更に冷却された後、室外膨張弁１５を通過し、レシーバ１６内にいったん貯留される。
【００３４】
レシーバ１６で循環量が調整された液冷媒は、過冷却熱交換器１７を経て液冷媒配管側を流通される過程で、液冷媒配管から一部分流され、過冷却用膨張弁１８で断熱膨張された冷媒と熱交換されて過冷却度が付与される。この液冷媒は、液側操作弁２１を経て室外機２から液側配管５へと導かれ、分岐器６を介して各室内機３Ａ，３Ｂの分岐液側配管５Ａ，５Ｂへと分流される。
【００３５】
分岐液側配管５Ａ，５Ｂに分流された液冷媒は、各室内機３Ａ，３Ｂに流入し、室内膨張弁３１で断熱膨張され、気液二相流となって室内熱交換器３０に流入される。室内熱交換器３０では、室内ファン３２により循環される室内空気と冷媒とが熱交換され、室内空気は冷却されて室内の冷房に供される。一方、冷媒はガス化され、分岐ガス側配管４Ａ，４Ｂを経て分岐器６に至り、他の室内機からの冷媒ガスとガス側配管４で合流される。
【００３６】
ガス側配管４で合流された冷媒ガスは、再び室外機２に戻り、ガス側操作弁２０、四方切換弁１２を経て、過冷却熱交換器１７からの冷媒ガスと合流された後、アキュームレータ１９に導入される。アキュームレータ１９では、冷媒ガス中に含まれている液分が分離され、ガス分のみが圧縮機１０に吸入される。この冷媒は、圧縮機１０において再び圧縮され、以上のサイクルを繰り返すことによって冷房運転が行われる。
【００３７】
一方、暖房運転は、以下のように行われる。
圧縮機１０により圧縮され、吐出された高温高圧の冷媒ガスは、四方切換弁１２を介してガス側操作弁２０側に循環される。この高圧ガス冷媒は、ガス側操作弁２０、ガス側配管４を経て室外機２から導出され、分岐器６、室内側の分岐ガス側配管４Ａ，４Ｂを経て複数台の室内機３Ａ，３Ｂに導入される。
【００３８】
室内機３Ａ，３Ｂに導入された高温高圧の冷媒ガスは、室内熱交換器３０で室内ファン３２を介して循環される室内空気と熱交換され、これにより加熱された室内空気は室内に吹出されて暖房に供される。一方、室内熱交換器３０で凝縮液化された冷媒は、室内膨張弁３１、分岐液側配管５Ａ，５Ｂを経て分岐器６に至り、他の室内機からの冷媒と合流され、液側配管５を経て室外機２に戻る。なお、暖房時、室内機３Ａ，３Ｂでは、凝縮器として機能する室内熱交換器３０の冷媒出口温度又は冷媒過冷却度が制御目標値となるように、室内膨張弁３１の開度が室内コントローラ３３を介して制御される。
【００３９】
室外機２に戻った冷媒は、液側操作弁２１を経て過冷却熱交換器１７に至り、冷房時の場合と同様に過冷却が付与された後、レシーバ１６に流入され、いったん貯留されることにより循環量が調整される。この液冷媒は、室外膨張弁１５に供給されて断熱膨張された後、過冷却コイル１４を経て室外熱交換器１３に流入される。
【００４０】
室外熱交換器１３では、室外ファン２４から送風される外気と冷媒とが熱交換され、冷媒は外気から吸熱して蒸発ガス化される。この冷媒は、室外熱交換器１３から四方切換弁１２を経て、過冷却熱交換器１７からの冷媒ガスと合流された後、アキュームレータ１９に導入される。アキュームレータ１９では、冷媒ガス中に含まれている液分が分離されてガス分のみが圧縮機１０に吸入され、圧縮機１０において再び圧縮される。以上のサイクルを繰り返すことによって暖房運転が行われる。
【００４１】
図２は、本実施形態に係るマルチ形空調システム１の制御を司る空調機制御装置４０の電気的構成を示すブロック図である。なお、図２では、詳細を後述する圧力一定制御及び圧力比制御に関する機能を示す。
空調機制御装置４０は、例えば、ＣＰＵ（Central  Processing  Unit）、ＲＡＭ（Random  Access  Memory）、ＲＯＭ（Read  Only  Memory）、及びコンピュータ読み取り可能な記憶媒体等から構成されている。そして、各種機能を実現するための一連の処理は、一例として、プログラムの形式で記憶媒体等に記憶されており、このプログラムをＣＰＵがＲＡＭ等に読み出して、情報の加工・演算処理を実行することにより、各種機能が実現される。なお、プログラムは、ＲＯＭやその他の記憶媒体に予めインストールしておく形態や、コンピュータ読み取り可能な記憶媒体に記憶された状態で提供される形態、有線又は無線による通信手段を介して配信される形態等が適用されてもよい。コンピュータ読み取り可能な記憶媒体とは、磁気ディスク、光磁気ディスク、ＣＤ−ＲＯＭ、ＤＶＤ−ＲＯＭ、半導体メモリ等である。また、空調機制御装置４０は、室外機２に備えられている。
【００４２】
空調機制御装置４０は、圧力制御部４２、圧力比制御部４４、及び記憶部４６を備える。
【００４３】
圧力制御部４２は、一例として、室内負荷に関わらず冷媒の運転圧力を一定とする圧力一定制御を行う。圧力一定制御は、冷媒の運転圧力が予め定められた目標圧力となるように、圧縮機１０の回転数を制御することで、圧縮機１０の必要能力を確保する。
より詳細には、圧力一定制御は、圧縮機１０の初期回転数が決定されると、機種容量や回転数（運転周波数）等により目標圧力を設定すると共に、冷房時には、圧力センサにより吸入圧（低圧）、暖房時には、圧力センサにより吐出圧（高圧）をそれぞれ圧力検出値として検出する。そして、圧力一定制御は、この目標圧力と圧力検出値とを比較し、圧縮機１０の回転数を制御する。具体的には、圧力一定制御は冷房時において、目標圧力＞圧力検出値の場合、圧縮機１０の回転数を低下させ、目標圧力＜圧力検出値の場合、圧縮機１０の回転数を上昇させる。一方、圧力一定制御は暖房時において、目標圧力＞圧力検出値の場合、圧縮機１０の回転数を上昇させ、目標圧力＜圧力検出値の場合、圧縮機１０の回転数を下降させる。そして、目標圧力＝圧力検出値の場合に、圧縮機１０の回転数は一定とされることで、冷房時には吸入圧が一定、暖房時には吐出圧が一定となる。
【００４４】
圧力比制御部４４は、圧力制御部４２による制御の後に、圧縮機１０の効率をそれまでに比べて向上させる運転点となるように、冷媒の高圧と低圧との比である圧力比（高圧／低圧）を制御する（以下「圧力比制御」という。）。
【００４５】
記憶部４６は、圧縮機１０の回転数と圧力比とから得られる圧縮機１０の効率分布を示した圧縮機効率分布情報を記憶する。
図３は、圧縮機効率分布情報の一例を示した効率マップであり、横軸が圧縮機１０の回転数とされ、縦軸が圧力比とされ、圧縮機１０の効率が実線で等高線状に表されている。すなわち、図３に示される効率マップの略中央（等高線の内側）ほど圧縮機１０の効率が高い。なお、圧縮機効率分布情報は、図３のような効率マップに限らず、関数や表形式等で記憶部４６に記憶されてもよい。
【００４６】
次に、本実施形態に係る空調機制御装置４０によって実行される圧力一定制御及び圧力比制御について詳細に説明する。なお、以下の説明において、圧力一定制御及び圧力比制御を総称して高効率化制御という。
【００４７】
圧力一定制御は、上述した様に、室内負荷にかかわらず冷媒の運転圧力を一定にするものである。さらに、本実施形態に係る圧力一定制御は、例えば、室内負荷が低下した場合に、冷媒の圧力が新たに調整した目標圧力となるように圧縮機１０の回転数を下げることで、圧縮機１０の能力を抑制する省エネ制御を行う。
【００４８】
室内負荷の低下とは、室内吸込み温度と設定温度とが所定範囲内に近づいた場合である。本実施形態に係るマルチ形空調システム１のように、室内機３が複数接続されている場合は、例えば、半数以上の室内機３の室内吸込み温度と設定温度との差が１℃以内となった場合に、室内負荷が低下したとされる。
そして、圧力制御部４２は、冷房時において室内負荷が低下すると、それまでの目標圧力（目標低圧）を上げることで、圧縮機１０の回転数を下げる。一方、暖房時において室内負荷が低下すると、圧力制御部４２は、それまでの目標圧力（目標高圧）を下げることで、圧縮機１０の回転数を下げる。
なお、目標圧力は、段階的に調整され、その都度、室内吸込み温度と設定温度との差が検知される。そして、この差が大きくなると、圧縮機１０の能力が室内負荷に対して不十分となるため、目標圧力の調整は終了する。
【００４９】
図３を参照して、本実施形態に係る省エネ制御を行った場合における圧縮機１０の運転点の変化を説明する。
点Ａで示される運転点は、目標圧力が調整される前、すなわち省エネ制御が行われる前の通常制御時の運転点である。そして、点Ｂは、省エネ制御が行われた後の運転点である。
【００５０】
しかしながら、省エネ制御の運転点Ｂは、必ずしも圧縮機１０にとって効率の良い運転点ではない。図３の例では、運転点Ｂと同じ回転数であっても、圧力比が高い領域（例えば点Ｃを含む領域）がより効率の良い運転点となる。
【００５１】
そこで、本実施形態に係る圧力比制御によって、圧縮機１０の効率をそれまでに比べて向上させる運転点（図３の例では点Ｃであり、以下「効率最適運転点」という。）となるように圧力比が制御される。
【００５２】
表１は、冷房時及び暖房時における圧縮機１０の運転点の調整について示したものである。
【表１】
0006495064.tif 000002
【００５３】
表１に示されるように、冷房時には高圧を制御することで圧力比制御が行われ、低圧を制御することで省エネ制御が行われる。一方、暖房時には高圧を制御することで省エネ制御が行われ、低圧を制御することで圧力比制御が行われる。このように、冷房時と暖房時とでは、冷媒の高圧と低圧とで制御の目的が異なる。
【００５４】
そして、本実施形態に係る圧力比制御部４４は、一例として、室外ファン２４の回転数を変化させることによって圧力比制御を行う。
具体的には、省エネ制御後の圧力比が効率最適運転点に比べて低い場合、室外ファン２４の回転数を低下させる。これにより、冷房時では冷媒の高圧が上昇する一方、暖房時では冷媒の低圧が下降する。従って、圧力比が上昇することとなり、運転点が効率最適運転点に近づく。
他方、省エネ制御後の圧力比が効率最適運転点に比べて高い場合、室外ファン２４の回転数を上昇させる。これにより、冷房時では冷媒の高圧が下降する一方、暖房時では冷媒の低圧が上昇する。従って、圧力比が下降することとなり、運転点が効率最適運転点に近づく。
【００５５】
このように、圧力比制御は、圧縮機１０の回転数を変えることなく、圧力比制御を行う。すなわち、圧力比制御は、圧縮機１０に対する制御を行うことなく圧力比を制御することとなり、圧縮機１０の運転点を所望の値に変化させやすい。
【００５６】
また、効率最適運転点は、例えば、圧縮機１０の回転数に対して最良の効率となる圧力比として予め定められており、圧力比の増減方向に対してある程度の幅を有してもよい。
【００５７】
図４は、空調機制御装置４０によって実行される高効率化制御処理の流れを示すフローチャートであり、本処理を実行するためのプログラム（高効率化制御プログラム）は記憶部４６の所定領域に予め記憶されている。なお、高効率化制御処理が行われる前、空調機制御装置４０は、省エネ制御を伴わない圧力一定制御（通常制御）が行われている。
【００５８】
まず、ステップ１００では、室内負荷が省エネ制御の開始が可能な程度まで低下したか否かを判定し、肯定判定の場合はステップ１０２へ移行する。否定判定の場合は、通常制御を継続する。
【００５９】
ステップ１０２では、通常制御を終了し、省エネ制御を開始するように設定する。
【００６０】
次のステップ１０４では、省エネ制御を行うために目標圧力を調整する。なお、冷房時は目標圧力（目標低圧）を上げ、暖房時には目標圧力（目標高圧）を下げる。
【００６１】
次のステップ１０６では、運転圧力と調整した目標圧力とが一致しているか否かを判定し、肯定判定の場合はステップ１１０へ移行する一方、否定判定の場合はステップ１０８へ移行する。
【００６２】
ステップ１０８では、運転圧力と目標圧力とが一致するように圧縮機１０の回転数を制御し、ステップ１０６へ戻り、運転圧力と調整した目標圧力とを比較する。
具体的には、冷房時において低圧が目標低圧よりも低い場合、又は暖房時において高圧が目標高圧よりも高い場合には、圧縮機１０の回転数が下げられる。一方、冷房時において低圧が目標低圧よりも高い場合、又は暖房時において高圧が目標高圧よりも低い場合には、圧縮機１０の回転数が上げられる。
【００６３】
ステップ１１０では、圧縮機１０の回転数に応じた効率最適運転点を設定する。
【００６４】
次のステップ１１２では、実際の圧力比と効率最適運転点の圧力比とが一致しているか否かを判定し、否定判定の場合はステップ１１４へ移行する。肯定判定の場合はステップ１０６へ戻り、省エネ制御及び圧力比制御を繰り返し継続する。
【００６５】
ステップ１１４では、実際の圧力比と効率最適運転点の圧力比とが一致するように室外ファン２４の回転数を制御し、再びステップ１１２へ戻り、実際の圧力比と効率最適運転点の圧力比とを比較する。
具体的には、実際の圧力比が効率最適運転点の圧力比よりも低い場合、室外ファン２４の回転数が下げられる。これにより、冷房時には高圧を上げることとなり、暖房時には低圧を下げることとなり、実際の圧力比が上昇する。一方、実際の圧力比が効率最適運転点の圧力比よりも高い場合、室外ファン２４の回転数が上げられる。これにより、冷房時には高圧を下げることとなり、暖房時には低圧を上げることとなり、実際の圧力比が下降する。
【００６６】
以上説明したように、本実施形態に係る空調機制御装置４０は、冷媒の運転圧力が予め定められた目標圧力となるように、圧縮機１０の回転数を制御し、この制御の後に、圧縮機１０の効率をそれまでに比べて向上させる運転点となるように、冷媒の高圧と低圧との比である圧力比を制御する。
これにより、空調機制御装置４０は、圧縮機１０の消費電力を低減し、かつ圧縮機１０をより効率良く運転可能とする。
【００６７】
以上、本発明を、上記実施形態を用いて説明したが、本発明の技術的範囲は上記実施形態に記載の範囲には限定されない。発明の要旨を逸脱しない範囲で上記実施形態に多様な変更又は改良を加えることができ、該変更又は改良を加えた形態も本発明の技術的範囲に含まれる。また、上記実施形態を適宜組み合わせてもよい。
【００６８】
例えば、上記実施形態では、圧力比を制御するために室外ファン２４の回転数を制御する形態について説明したが、本発明は、これに限定されるものではなく、圧力比を制御するために室外膨張弁１５の開度を制御する形態としてもよい。
この形態の場合、上述したステップ１１４において、実際の圧力比が効率最適運転点の圧力比よりも低い場合、室外膨張弁１５が絞られる。これにより、冷房時には高圧を上げることとなり、暖房時には低圧を下げることとなり、実際の圧力比が上昇する。一方、実際の圧力比が効率最適運転点の圧力比よりも高い場合、室外膨張弁１５が開かれる。これにより、冷房時には高圧を下げることとなり、暖房時には低圧を上げることとなり、実際の圧力比が下降する。
【００６９】
また、圧力比を制御するために室外ファン２４の回転数と室外膨張弁１５の開度の両方を制御してもよい。
また、室外膨張弁１５の代わりに、各々に絞りと電磁弁を備えた複数の冷媒回路が並列に設けられ、電磁弁の開閉によって冷媒の流路を変えて絞り量を変化させることで、圧力比が制御されてもよい。
さらに、室外熱交換器１３を複数とし、冷媒が流通する室外熱交換器１３の数（容量）を変化させることで、圧力比が制御されてもよい。
【００７０】
また、上記実施形態では、省エネ制御を行った後に圧力比制御を行う形態について説明したが、本発明は、これに限定されるものではなく、省エネ制御を行うことなく圧力比制御を行う形態としてもよい。
この形態の場合、図５の例に示すように、通常制御（運転点Ａ）の後に、圧縮機１０の運転点がより効率の良い運転点Ｃとなるように圧力比制御を行ってもよい。
【００７１】
また、上記実施形態では、制御装置４０が室内負荷に関わらず冷媒の運転圧力を一定とする圧力一定制御を行う形態について説明したが、本発明は、これに限定されるものではなく、圧力一定制御を行うことなく省エネ制御を行う形態としてもよい。
【００７２】
また、上記実施形態では、室内負荷が低下した場合に省エネ制御を行う形態について説明したが、本発明は、これに限定されるものではなく、室内負荷が低下した場合だけでなく、例えば、マルチ型空調システム１のユーザー（管理者）による設定の変更、例えば、圧縮機１０の回転数の低下設定や、冷媒の目標圧力の変更設定等が行われた場合に、省エネ制御を行う形態としてもよい。
【００７３】
また、上記実施形態で説明した高効率化制御処理の流れも一例であり、本発明の主旨を逸脱しない範囲内において不要なステップを削除したり、新たなステップを追加したり、処理順序を入れ替えたりしてもよい。
【符号の説明】
【００７４】
１    マルチ形空調システム
２    室外機
３Ａ，３Ｂ  室内機
１０    圧縮機
１５    室外膨張弁
２４    室外ファン
４０    空調機制御装置
４２    圧力制御部
４４    圧力比制御部
【図１】
0006495064.tif 000003
【図２】
0006495064.tif 000004
【図３】
0006495064.tif 000005
【図４】
0006495064.tif 000006
【図５】
0006495064.tif 000007